(57)【特許請求の範囲】
【請求項１】
天井４と対向し、かつ離隔して設置するフード１と、このフード１内を負圧とする送風機２と、この送風機２の吐出口２４と連通し、天井４の貫通口４ａを挿通して天井裏６に配設する排気ダクト３と、前記フード１と天井４とに亘って取付けられ前記天井４とフード１との間に、室内とは遮断された空間部８ａを形成する遮蔽体８を備え、
前記天井４の貫通口４ａは前記排気ダクト３の径より大きく、その貫通口４ａと前記排気ダクト３との間には天井裏に連通した隙間７が形成され、この隙間７は、前記空間部８ａに開口連通し、
前記フード１に、前記空間部８ａをフード１内部に連通する副吸込口９を形成して、空間部８ａ内の空気が副吸込口９を通してフード１内に流入するようにしたことを特徴とするレンジフード。
【請求項２】
レンジフードとしての排気運転停止時に、室内を換気するために送風機２を駆動して換気運転するようにした請求項１記載のレンジフード。
【請求項３】
フード１の副吸込口９を開閉する開閉装置を設け
この開閉装置は、送風機２を駆動したレンジフードとしての排気運転時には副吸込口９を開放し、送風機２を停止したレンジフードとしての排気運転停止時には副吸込口９を閉じるようにした請求項１記載のレンジフード。
【発明の詳細な説明】
【技術分野】
【０００１】
本発明は、台所の加熱調理器上方に設けられ、調理により発生した燃焼ガス、油煙及び臭気などを屋外に排気するレンジフードに関する。
【背景技術】
【０００２】
従来、レンジフードとしては、台所の加熱調理器上方に設けられるフードと、このフード内の空気を吸い込む送風機と、この送風機に接続した排気ダクトを備え、その送風機を駆動することで、調理により発生した燃焼ガス、油煙及び臭気などをフードで捕集し、排気ダクトを通して屋外に排気するものが知られている。
【０００３】
【特許文献１】特開平１０−１９３３３号公報
【発明の開示】
【発明が解決しようとする課題】
【０００４】
前述のような従来のレンジフードにおいては、その排気ダクトは多くの場合、送風機の吐出口から垂直に延びて天井の貫通口を挿通して天井裏まで配管され、その後に曲がり管（エルボ）により水平に方向変換し、天井裏を水平に伸びて建物壁面へと案内される。
前述の排気ダクトの配管工事においては、天井にあらかじめダクト径よりも大きなサイズの貫通口を形成し、この貫通口に排気ダクトを挿通するのが一般的であるが、その配管工事の作業性を重視することから、排気ダクトのダクト径よりも大きな貫通口を天井に形成することがある。これによって、排気ダクトと天井の貫通口との間に大きな隙間が形成される。
なお、排気ダクトを断熱材で被覆した場合には、前記貫通口はより大きく形成されるので、前述の隙間がより大きくなる。
【０００５】
一方、レンジフードの送風機を駆動してレンジフードを、レンジフードとしての排気運転することにより、台所（調理室）をはじめとする居室内が負圧状態となる。
このために、前述のように排気ダクトと天井の貫通口との間に大きな隙間があると、レンジフードとしての排気運転時に、その隙間を通って天井裏の空気が室内に流入することになる。
【０００６】
近年、建材等に使用される有機性の化学物質が問題となっており、天井裏等にホルムアルデヒドを発揮する建材を使用した場合には、前述のように天井裏の空気が室内に流入すると問題である。
【０００７】
このことから、前述のように排気ダクトと天井の貫通口との間に大きな隙間がある場合には、その隙間を閉塞してレンジフードとしての排気運転時に天井裏の空気が室内に流入しないようにすることが考えられる。
しかし、排気ダクトと天井の貫通口との間の隙間を塞ぐ作業は大変面倒で、レンジフードの設置に時間がかかることになる。
【０００８】
本発明の目的は、排気ダクトと天井の貫通口との間の隙間を塞ぐことなしに、レンジフードとしての排気運転時に天井裏の空気が室内に流入しないようにできるレンジフードを提供することである。
【課題を解決するための手段】
【０００９】
本発明は、天井４と対向し、かつ離隔して設置するフード１と、このフード１内を負圧とする送風機２と、この送風機２の吐出口２４と連通し、天井４の貫通口４ａを挿通して天井裏６に配設する排気ダクト３と、前記フード１と天井４とに亘って取付けられ前記天井４とフード１との間に、室内とは遮断された空間部８ａを形成する遮蔽体８を備え、
前記天井４の貫通口４ａは前記排気ダクト３の径より大きく、その貫通口４ａと前記排気ダクト３との間には天井裏に連通した隙間７が形成され、この隙間７は、前記空間部８ａに開口連通し、
前記フード１に、前記空間部８ａをフード１内部に連通する副吸込口９を形成して、空間部８ａ内の空気が副吸込口９を通してフード１内に流入するようにしたことを特徴とするレンジフードである。
【００１０】
本発明においては、レンジフードとしての排気運転停止時に室内を換気するために送風機２を駆動して換気運転するように構成できる。
【００１１】
このようにすれば、レンジフードとしての排気運転停止時にも天井裏の空気を隙間７、空間部８ａ、副吸込口９を通して排気ダクト３で屋外に排気されるので、レンジフードとしての排気運転停止時に天井裏の空気がフード１内に通って室内に流入することがない。
【００１２】
本発明においては、フード１の副吸込口９を開閉する開閉装置を設け
この開閉装置は、送風機２を駆動したレンジフードとしての排気運転時には副吸込口９を開放し、送風機２を停止したレンジフードとしての排気運転停止時には副吸込口９を閉じるように構成できる。
【００１３】
このようにすれば、レンジフードとしての排気運転停止時には副吸込口９が開閉装置で閉じられ、天井裏の空気がフード１内に流入しないので、レンジフードとしての排気運転停止時に天井裏の空気がフード１内を通って室内に流入することがない。
【発明の効果】
【００１４】
本発明によれば、天井４の貫通口４ａが排気ダクト３の径より大きいので、天井裏の空気は、天井４の貫通口４ａと排気ダクト３との間の隙間７から空間部８ａに流入するが、その空間部８ａに流入した天井裏の空気は送風機２を駆動することで副吸込口９からフード１内に吸い込まれて排気ダクト３で屋外に排気される。
したがって、排気ダクト３の配管工事をやり易いと共に、その貫通口４ａと排気ダクト３との間の隙間７を塞ぐことなしに、レンジフードとしての排気運転時に前述の隙間７から流入した天井裏の空気が室内に流入しないようにできる。
【発明を実施するための最良の形態】
【００１５】
本発明の第１の実施の形態を説明する。
図１に示すように、レンジフードはフード１と、送風機２と、排気ダクト３を備えている。
前記フード１は、天板１０と周面板１１とで下面が開口した箱形状で、このフード１は天井４と天板１０とが離隔して天井４と対向して設置される。例えば、壁５に固着して設置する。
前記送風機２は、ハウジング２０内にファン２１を回転自在に設け、そのファン２１をモータ２２で回転することで吸込口２３から空気を吸い込んで吐出口２４を吐出するものである。
前記送風機２の吸込口２３がフード１内に連通してファン２１が回転することでフード１内を負圧とすると共に、吐出口２４が排気ダクト３に連通している。
【００１６】
この実施の形態では、フード１内が仕切板１２で空気捕集室１ａと送風機収容室１ｂに区画され、その空気捕集室１ａと送風機収容室１ｂは仕切板１２の開口１３で連通していると共に、その開口１３の周縁にフィルター１４が取付けてある。
前記空気捕集室１ａが下面に開口して図示しない加熱調理器と対向している。
前記送風機収容室１ｂ内に送風機２が設けてある。
レンジフードとしての排気運転時にはそのファン２１を回転することで送風機収容室１ｂ内が負圧となることで、開口１３を通して空気捕集室１ａも負圧となり、調理により発生した燃焼ガス、油煙及び臭気などを捕集して排気ダクト３に吐出する。
【００１７】
前記排気ダクト３は、垂直部３０と曲がり部３１と水平部３２を有している。
前記垂直部３０が継手３３で吐出口２４に連通し、天井４に形成した貫通口４ａを挿通して天井裏６まで配設され、水平部３２が天井裏６を水平に延びて図示しない建物壁面まで配設される。
【００１８】
前記天井４の貫通口４ａは排気ダクト３（垂直部３１）の径に比べて大きく、配管工事をやり易くしているので、その貫通口４ａと排気ダクト３との間には大きな隙間７が形成される。
この隙間７を通してレンジフードとしての排気運転時に天井裏６の空気が室内に流入してしまう。
【００１９】
そこで、本発明においてはフード１と天井４とに亘って遮蔽体８を取付けてレンジフード１と天井４との間に前記隙間７に連通した空間部８ａを形成すると共に、その隙間７が直接室内に連通しないように遮断し、前記空間部８ａをフード１内部、例えば送風機収容室１ｂに連通する副吸込口９を前記フード１に形成する。
【００２０】
このようにすることで、レンジフードとしての排気運転時に、前述の隙間７を通して空間部８ａ内に流入した天井裏の空気は、副吸込口９からフード１内に吸い込まれ、排気ダクト３で屋外に排気されるので、天井裏の空気がレンジフードとしての排気運転時に室内に流入しないようにできる。
【００２１】
前記空間部８ａはレンジフード１の天板１０と天井４と壁５で形成され、副吸込口９は天板１０に形成してある。
すなわち、フード１が壁５に固着してあるので、遮蔽体８を平面コ字形状として壁５に接して取付けることによって空間部８ａを形成している。
なお、レンジフードのフード１の左右一方と隣接してキッチンキャビネットが設置されている場合には遮蔽体８は平面Ｌ字形状で良いし、左右両方と隣接してキッチンキャビネットが設置されている場合には遮蔽体８は平面直線形状で良い。
【００２２】
前記フード１には操作パネル４０が取付けてある。
この操作パネル４０は図２に示すように、換気スイッチ４１、強運転スイッチ４２、中運転スイッチ４３、弱運転スイッチ４４、切スイッチ４５、ランプスイッチ４６を備えている。
前記換気スイッチ４１をＯＮ操作するとモータ２２を任意速度で回転して室内の空気を排気ダクト３を経て室外に排気して室内を換気する。いわゆる換気運転できる。
前記強運転スイッチ４２をＯＮ操作すると送風機２のモータ２２を高速回転し、中運転スイッチ４２、弱運転スイッチ４３をそれぞれＯＮ操作すると前記モータ２２を中速回転、低速回転してレンジフードとしての排気運転の速度を３段階に切り換えできるようにしてある。
前記切スイッチ４５をＯＮ操作すると前述のレンジフードとしての排気運転が停止して前述の室内を換気するための換気運転となる。この排気運転が停止して換気運転となる、ということは、送風機２のモータ２２の回転速度を、レンジフードとして排気運転している時の速度よりも遅くすることでも良いし、送風機２のモータ２２を停止し、その後に再びモータ２２を、室内を換気するのに見合う速度で駆動することでも良い。
前記ランプスイッチ４６をＯＮ操作するとフード１に取付けたランプ４７が点灯する。
【００２３】
前述のように、レンジフードとしての排気運転停止時に送風機２を駆動して室内を換気するための換気運転するようにすれば、天井裏６の空気を排気ダクト３で屋外に排気するので、レンジフードとしての排気運転を停止した時にも天井裏の空気がフード１内部を通って室内に流入することがないようにできる。
すなわち、送風機２が停止したレンジフードとしての排気運転停止時には、天井裏の空気が隙間７、空間部８ａ、副吸込口９、フード１内部を通って室内に流れることがあるので、前述のようにレンジフードとしての排気運転停止時に換気運転することによって、天井裏の空気がフード１内を通って室内に流入することがないようにできる。
【００２４】
次に、本発明の第２の実施の形態を説明する。
図３に示すように、フード１の副吸込口９を開閉する開閉装置、例えば電動式シャッター５０を設ける。
この電動式シャッター５０はレンジフードとしての排気運転時には副吸込口９を開放し、レンジフードとしての排気運転停止時には副吸込口９を閉じる。
このようにすることで、レンジフードとしての排気運転停止時に天井裏の空気がフード１内部を通って室内に流入しないようにできる。
【００２５】
前記電動式シャッター５０は、筒体５１に弁５２を閉じ姿勢と開き姿勢に回動自在に設け、この弁５２をモータ５３で回転することで筒体５１を閉じたり、開放したりするもので、その筒体５１が副吸込口９と連通して取付けてある。
そして、弁５２で筒体５１を閉じることで副吸込口９を閉じ、弁５２で筒体５１を開放することで副吸込口９を開放する。
前記モータ５３は前記送風機２のモータ２２と同期して制御され、モータ２２が回転すると弁５２が開き姿勢となり、モータ２２が停止すると弁５２が閉じ姿勢となる。
【００２６】
例えば、弁５２をスプリング等で常時閉じ姿勢に保持し、前述した操作パネル４の強・中・弱スイッチ４２，４３，４４をＯＮ操作した時にはモータ５３に通電して駆動し、前記弁５２を閉じ姿勢とするようにし、切スイッチ４５をＯＮ操作するとモータ５３に通電しなくなり、弁５２がスプリング等で閉じ姿勢となるようにする。
この場合には、前述の換気スイッチ４１を設けなくとも良い。
【００２７】
次に、本発明の第３の実施の形態を説明する。
図４に示すように、フード１を、空気捕集室１ａを形成するフード本体１−１と、送風機収容室１ｂを形成する送風機ボックス１−２で構成し、その送風機ボックス１−２内に送風機２を取付ける。
前記フード本体１−１は天板１５と周面板１６と下面板１７で扁平な箱形状で、その下面板１７は上向きに凹んだ形状で、開口１７ａが形成されていると共に、その開口１７ａと対向してプレート１８が設けてある。
前記送風機ボックス１−２は、天板６０と周面板６１と下面板６２で矩形箱形状で、その天板６０に前述の副吸込口９が形成してある。
前記送風機ボックス１−２の下面板６２には流入口６３が形成され、フード本体１−１の天板１５には流出口６４が形成してあり、この流出口６４と前記流入口６３が連通している。
【００２８】
この実施の形態においても前述と同様に換気運転するようにしても良いし、電動式シャッター５０を取付けて副吸込口９を開閉するようにしても良い。
【図面の簡単な説明】
【００２９】
【図１】本発明の第１の実施の形態を示すレンジフードの設置状態の断面図である。
【図２】操作パネルの説明図である。
【図３】本発明の第２の実施の形態を示すレンジフードの設置状態の断面図である。
【図４】本発明の第３の実施の形態を示すレンジフードの設置状態の断面図である。
【符号の説明】
【００３０】
１…フード、１ａ…空気捕集室、１ｂ…送風機収容室、２…送風機、３…排気ダクト、４…天井、４ａ…貫通口、５…壁、６…天井裏、７…隙間、８…遮蔽体、８ａ…空間部、０９…副吸込口、４０…操作パネル、５０…電動式シャッター。
【図１】
0005008074.tif 000002
【図２】
0005008074.tif 000003
【図３】
0005008074.tif 000004
【図４】
0005008074.tif 000005